(57)【要約】      （修正有）【課題】眼鏡を着用した場合にフロント部と顔との間に形成される隙間を防止して、空中に浮遊する花粉、粉塵、飛沫、ウイルスの侵入を抑制することが出来る隙間ガード付き眼鏡を提供する。【解決手段】フロント部１の上部には後方へ延びて内縁８を滑らかに湾曲した上側フード７を設け、両側部には後方へ延びる側部フードを設け、上記上側フードにはゴム製の隙間ガード２を取付け、隙間ガードは上片と下片を設けて間に隙間を形成し、上片と下片の基部からＵ形又は逆Ｕ形に湾曲して間に隙間を設けた当り片を形成し、眼鏡を着用した場合には上記当り片が額に接するようにしている。【選択図】図１
0003233333.tif 000002
【実用新案登録請求の範囲】
【請求項１】
眼鏡を着用した場合にフロント部と顔との間に形成される隙間を塞いで、空中に浮遊する花粉、粉塵、飛沫、ウイルスの侵入を抑制することが出来る隙間ガード付き眼鏡において、上記フロント部の上部には後方へ延びて内縁を滑らかに湾曲した上側フードを設け、両側部には後方へ延びる側部フードを設け、上記上側フードにはゴム製の隙間ガードを取付け、隙間ガードは上片と下片を設けて間に隙間を形成し、上片と下片が交わる基部からＵ形又は逆Ｕ形に湾曲して間に隙間を設けた当り片を形成し、眼鏡を着用した場合には上記当り片が額に接するようにしたことを特徴とする隙間ガード付き眼鏡。
【請求項２】
上記上側フードの両側には内縁から切り込んだスリット溝を設け、隙間ガードの上片両側には下方へ突出する突片を、また下片の中央には上方へ突出する突部を形成した請求項１記載の隙間ガード付き眼鏡。
【請求項３】
眼鏡を着用した場合にフロント部と顔との間に形成される隙間を塞ぐためにフロント部上部に設けた上側フードに取付けるための隙間ガードにおいて、該隙間ガードはゴム製で間に隙間を設けた上片と下片を有し、上片と下片が交わる基部にはＵ形又は逆Ｕ形に湾曲した当り片を形成したことを特徴とする眼鏡に取付ける隙間ガード。
【請求項４】
上記上片の両側には下方へ突出する突片を設け、下片の中央には上方へ突出する突片を設けた請求項３記載の眼鏡に取付ける隙間ガード。
【考案の詳細な説明】
【技術分野】
【０００１】
本考案は眼鏡を着用した際に、フロント上部に形成される隙間を塞ぐ為のガード及びガードを取付けた眼鏡に関するものである。
【背景技術】
【０００２】
眼鏡はレンズを取付けたフロント部と２本のツル（テンプル）から成り、ツルはフロント部の両側に蝶番などの継手を介して折畳み出来るように取付けられている。眼鏡を着用する場合、フロント部は顔の正面に配置されるが、顔との間には隙間が形成される。
空中には無数の花粉、粉塵、飛沫、ウイルスなどが浮遊し、これら花粉やウイルスなどは上記隙間から侵入して目に入る。
【０００３】
そこで、空中に浮遊する花粉やウイルスなどが隙間から侵入しないように、隙間を塞ぐことが出来るガード（フード）を取付けた眼鏡が知られている。
例えば、実用新案登録第３２２９０５１号に係る「眼鏡」は、花粉、粉塵、飛沫、ウイルスなどから目を保護するためのフードが着脱可能に取り付けられた眼鏡である。
眼鏡は、眼鏡本体と、眼鏡本体のレンズフレームと顔面との隙間を遮蔽するためのフードとを備える眼鏡であって、レンズフレームは、後方へ延びるフレーム上側延在部と後方へ延びるフレーム下側延在部とを有し、フードには、フレーム上側延在部及びフレーム下側延在部の少なくとも一部が嵌合する凹部が形成されている。
【０００４】
特開２００３−１６９８２１号に係る「ゴーグル」は、通気性を確保しながら飛沫、水滴の侵入を防止することが出来る。
着用者の眼の前方に位置する透明な合成樹脂から成る眼鏡部と、粉塵、飛沫、水滴等から眼を保護するための可撓性を有する合成樹脂から成る防塵部と、このゴーグルを頭部に固定するためのゴムバンドとから構成されている。防塵部の上部、下部には、空気を通気させる多数の小孔から成る通気孔が形成されており、これらの通気孔は撥水性、通気性を有するメッシュシートにより隔離的に覆われている。
【０００５】
図４、図５、図６は隙間ガードを取付けた従来の眼鏡を示す具体例であり、平面図、正面図、及び側面図を表している。眼鏡はフロント部（イ）の両側にツル（ロ）、（ロ）が折畳み出来るように取付けられ、フロント部（イ）を構成するレンズ（ハ）の上縁には隙間ガード（ニ）を取付けている。隙間ガード（ニ）に設けている溝にレンズ（ハ）の上縁部が嵌入して取付けられ、背面側には当り片（ホ）が形成されている。
【０００６】
該眼鏡を着用した場合、隙間ガード（ニ）の当り片（ホ）は顔の額に接して隙間は塞がれる。しかし、フロント部（イ）のレンズ（ハ）の上縁部に取付けた隙間ガード（ニ）は、該フロント部（イ）から上方に大きく突出し、眼鏡の外観が損なわれる。
【特許文献１】実用新案登録第３２２９０５１号に係る「眼鏡」
【特許文献２】特開２００３−１６９８２１号に係る「ゴーグル」
【考案の開示】
【考案が解決しようとする課題】
【０００７】
このように、顔に着用した場合にフロント部との間に形成される隙間を塞ぐことが出来る眼鏡やゴーグルは色々知られている。ゴーグルの場合にはその用途が特定される為に、外観上の見栄えが問題視されることは少ないが、日常生活で使われる眼鏡の場合には、外観が損なわれるようなフロント部では問題がある。
本考案に係る眼鏡は、空中に浮遊する無数の花粉、粉塵、飛沫、ウイルスなどの侵入を塞ぐと共に、外観を損なうことのないようにした隙間ガードを取付けた眼鏡を提供する。
【課題を解決するための手段】
【０００８】
本考案に係る眼鏡は、フロント部の両側にツルが折畳み出来るように取付けられ、基本的な形態は共通している。上記フロント部にはレンズが嵌っているが、その上部には上側フードが形成され、両側部には側部フードを有していて、これら上側フード及び側部フードは後方（背面側）へ延びている。そして、本考案は上記上側フードにはゴム製の隙間ガードを取付けている。
【０００９】
該隙間ガードは所定の間隔を有して上片と下片を形成した概略コ形断面を成し、上片と下片が交わる基部からは滑らかに湾曲した当り片を背面側へ延ばし、該当り片はＵ形断面又は逆Ｕ形断面をして湾曲している。隙間ガードは、上側フードに取付けられるが、上側フードには隙間ガードの上片と下片の間に形成した隙間に嵌って取付けられる。
【００１０】
そして、上記上側フードから隙間ガードが外れないように、また、位置ズレしないように止着手段を設けている。側部フードは顔の側面付近まで延び、その為に顔の側面との間に大きな隙間は形成されないことから、側部フードには隙間ガードは取付けられない。
そして、上側フードに取付けられる隙間ガードは着脱自在であって、眼鏡を着用する人の顔の大きさ、形状に応じて選択され、交換可能としている。
【考案の効果】
【００１１】
本考案の眼鏡はフロント部の後方に延びる上側フードを有し、上側フードにはゴム製の隙間ガードを取付けることが出来る。隙間ガードはゴム製であって背面側にはＵ形又は逆Ｕ形に湾曲した当り片を有していて、眼鏡を着用した場合、該当り片は顔の額に接し、隙間を塞ぐことが出来る。
また、側部には顔側面まで延びる側部フードを有していることで、眼鏡と顔との間に形成される隙間はほぼ塞がれる。
【００１２】
したがって、大気中を浮遊する無数の花粉、粉塵、飛沫、ウイルスなどが眼鏡との隙間から侵入して目に付着ことが抑制され、目の保護に大きな効果を呈することが出来る。
そして、この隙間ガードは上側フードに取付けることが出来、この場合、顔に合わせて適当なサイズ及び形状を選択して取付けられ、汚れた場合には新たな隙間ガードに交換することは自由である。
【図面の簡単な説明】
【００１３】
【図１】本考案に係る隙間ガードを取付けた眼鏡を示す平面図。
【図２】本考案に係る隙間ガードを取付けた眼鏡を示す正面図。
【図３】本考案に係る隙間ガードを取付けた眼鏡を示す側面図。
【図４】隙間ガードを取付けた従来の眼鏡を示す平面図。
【図５】隙間ガードを取付けた従来の眼鏡を示す正面図。
【図６】隙間ガードを取付けた従来の眼鏡を示す側面図。
【考案を実施するための形態】
【００１４】
図１、図２、図３は本考案に係る眼鏡と隙間ガードを示す実施例であり、図１は平面図、図２は正面図、図３は側面図を表している。
同図の１は眼鏡のフロント部、２はフロント部１に取付けられる隙間ガードを夫々表していて、フロント部１は樹脂製とし、その両側には樹脂製のツル３，３が取付けられ、該ツル３，３は蝶番等の継手を介して折畳み出来るように連結している。
【００１５】
フロント部１には中央の連結部４を介して両側にリム部５，５が左右対称に形成され、該リム部５，５にはレンズ６，６が嵌っている。そして、フロント部１の上部には上側フード７が形成され、該上側フード７はフロント部１の全幅にわたっていて後方へ張り出し、上側フード７の内縁８は顔の額に沿うように滑らかに湾曲している。
上側フード７の両側は下側へ延びて側部フード９，９を連続して形成しているが、側部フード９は上側フード７より後方へ大きく張出し、メガネを着用した際には内縁１０は顔の側面に近接するように成っている。
【００１６】
ところで、上記フロント部１の上側フード７には、上記隙間ガード２が取付けられる。図１の平面図、及び図２の正面図に表しているように、該隙間ガード２は内縁８に沿うように滑らかに湾曲している。そして、隙間ガード２は上側フード７に取付けられるが、その断面形状は図３の側面図に表しているように概略コ形断面をしている。
すなわち、所定の間隔を設けて上片１１と下片１２を有し、間には隙間１３を形成している。
【００１７】
そして、上片１１と下片１２が交わる基部１４からはＵ形に湾曲して当り片１５を形成している。図３に示す当り片１５はＵ形断面であるが、逆Ｕ形断面とする場合もあり、基部１４との間には隙間１６を設けている。したがって、隙間ガード２はゴム製である為に、メガネを着用した場合、当り片１５は適当に撓み変形して接し、顔の額との間に隙間が形成されることはない。
【００１８】
上側フード７が隙間１３に嵌入することで隙間ガード２は取付けられるが、外れたり、位置ズレしないように止着される。ここで、隙間ガード２を定位置に止着する具体的な方法は限定しないが、実施例では上側フード７には両側部に内縁８からスリット溝１７，１７が形成されている。
そして、隙間ガード２の上片１１には下方へ突出する小さな突片１８，１８が両側部に設けられ、該突片１８，１８はスリット溝１７，１７に嵌入することが出来る。また、下片１２の中央部には上方へ突出する細長い突部１９を設けている。
すなわち、隙間ガード２は両突片１８，１８と中央の突部１９の３点にて定位置に止着される。
【００１９】
上記隙間ガード２を上側フード７に取付けた状態を図２，図３に表しているが、メガネを着用した状態では、隙間ガード２が上側フード７から大きくはみ出すことはなく、フロント部１の外観が損なわれることはない。
本考案の眼鏡を構成するフロント部１及びツル３，３は一般的に樹脂製であるが、金属製とすることもある。
【符号の説明】
【００２０】
１   フロント部
２   隙間ガード
３   ツル
４   連結部
５   リム部
６   レンズ
７   上側フード
８   内縁
９   側部フード
10   内縁
11   上片
12   下片
13   隙間
14   基部
15   当り片
16   隙間
17   スリット溝
18   突片
19   突部
【図１】
0003233333.tif 000003
【図２】
0003233333.tif 000004
【図３】
0003233333.tif 000005
【図４】
0003233333.tif 000006
【図５】
0003233333.tif 000007
【図６】
0003233333.tif 000008